(57)【特許請求の範囲】
【請求項１】
インタフェース（２６）を介して外部情報処理装置（２４）から受信した表示用情報の表示の動的時間予約に基づいて、制御命令フィールドを有する表示リストをリアルタイムで作成し且つ更新する制御センタ装置（１２）と、少なくとも１つの表示装置（２２、４０）と、前記表示装置に関連して設けられインタフェース（１４）を介して前記制御センタ装置に接続され前記表示装置を制御して調整するためのコンピュータ化された装置（３４、１６）と、前記制御センタ装置に計算手段、割当て手段および減算手段と、を含むディジタル情報システムにおいて、前記表示装置を制御して調整する方法であって、
前記表示リストは、複数のブロックの情報の各ブロックの情報に対する、時間期間、表示回数、情報カテゴリ、および表示優先度を含み、
前記計算手段が、前記表示リストにおける、特定の時間期間内における１つのブロックの情報の表示回数を決定し、
前記割当て手段が、前記表示リストにおいて、前記１つのブロックの情報に対して特定の情報カテゴリおよび表示優先度を割り当て、
前記減算手段が、前記表示装置に前記１つのブロックの情報が表示されるたびに前記表示リストにおける前記表示優先度を減少させ、
前記コンピュータ化された装置（３４、１６）が、前記表示リストに従って、表示内容、表示時期、表示期間について前記表示装置を、他の表示装置に関係なく制御し、より高い表示優先度を有するブロックの情報がより低い表示優先度を有するブロックの情報より先に表示される形態で前記表示リスト中の前記表示優先度に従って前記１つのブロックの情報を前記表示装置に表示させ、
前記制御センタ装置（１２）が、前記コンピュータ化された装置（３４、１６）からの情報に基づいて前記表示リストの前記特定の時間期間における或る表示時期において１つのブロックの情報の表示が中断したと判定したとき、前記コンピュータ化された装置（３４、１６）が、より高い表示優先度を有するブロックの情報がより低い表示優先度を有するブロックの情報より先に表示される形態で、表示が中断したその１つのブロックの情報を前記表示リスト中のその表示優先度に従って前記表示リストの前記特定の時間期間における代替的な別の表示時期に前記表示装置に表示させることによってその１つのブロックの情報の表示の中断を調整しまたは補償すること、
を含む、方法。
【請求項２】
前記表示リストが、前記複数のブロックの情報がそれぞれ対応付けられた複数のタイムスロットに分割されていることを特徴とする、請求項１に記載の方法。
【請求項３】
前記コンピュータ化された装置が、前記表示リストの前記表示優先度に従って、前記表示リストおける前記特定の情報カテゴリが割り当てられた１つのブロックの情報を、前記表示リストにおける少なくとも１つの異なる情報カテゴリが割り当てられた別のブロックの情報の次に、前記表示装置に表示させることを特徴とする、請求項１または２に記載の方法。
【請求項４】
前記割当て手段が、前記表示リストにおける特定の位置コードの位置に前記特定の情報カテゴリを挿入することを特徴とする、請求項１乃至３のいずれかに記載の方法。
【請求項５】
前記割当て手段が、前記表示リストにおいて、外部情報処理装置（２４）から新しく受け取った各表示用情報の各ブロックの情報に対して、同じ所定のレベルの表示優先度を割り当てることを特徴とする、請求項１乃至４のいずれかに記載の方法。
【請求項６】
前記減算手段が、前記表示リスト中の前記表示優先度を減少させるために、前記表示優先度を、前記表示優先度の値を特定のブロックの情報の全てのエントリ数で除算して得られた商の値だけ減少させ、前記表示優先度の値を前記全てのエントリ数で除算した値が無限桁数の１０進数である場合は、前記表示優先度の値を前記全てのエントリ数で除算した値の端数を切り捨てた値を前記商の値として用いることを特徴とする、請求項１乃至５のいずれかに記載の方法。
【請求項７】
前記コンピュータ化された装置が、前記表示リストにおける最高のレベルの前記表示優先度を有する前記１つのブロックの情報を前記表示装置に表示させ、前記表示リストにおける０（零）レベルの前記表示優先度を有するブロックの情報をもはや表示させないものであることを特徴とする、請求項１乃至６のいずれかに記載の方法。
【請求項８】
前記コンピュータ化された装置が、前記表示リストにおける同じ表示優先度を有する複数のブロックの情報を連続的に前記表示装置に表示させることを特徴とする、請求項１乃至７のいずれかに記載の方法。
【請求項９】
前記コンピュータ化された装置が、前記表示リストにおける０（零）より高い表示優先度および同じ情報カテゴリを有する或るブロックの情報と次のブロックの情報の間に、選択された或るブロックの情報を挿入して前記表示装置に表示させることを特徴とする、請求項１乃至８のいずれかに記載の方法。
【請求項１０】
制御センタ装置（１２）と、第１のインタフェース（２６）と、第２のインタフェース（１４）と、コンピュータ化された装置（３４、１６）と、前記制御センタ装置に計算手段、割当て手段および減算手段と、を含むシステムであって、
前記第１のインタフェース（２６）は、外部情報処理装置（２４）から表示用情報の表示の動的時間予約を受信し、
前記第２のインタフェース（１４）は、少なくとも１つの表示装置（２２、４０）に関連して設けられ前記表示装置を制御して調整するための前記コンピュータ化された装置（３４、１６）に接続され、
前記制御センタ装置（１２）は、前記外部情報処理装置から受信した表示用情報の表示の動的時間予約に基づいて、制御命令フィールドを有する表示リストをリアルタイムで作成し且つ更新し、
前記表示リストは、複数のブロックの情報の各ブロックの情報に対する、時間期間、表示回数、情報カテゴリ、および表示優先度を含み、
前記コンピュータ化された装置は、前記表示リストに従って、表示内容、表示時期、表示期間について前記表示装置を、他の表示装置に関係なく制御し、
前記計算手段は、前記表示リストにおける、特定の時間期間内における１つのブロックの情報の表示回数を算出し、
前記割当て手段は、前記表示リストにおいて、前記１つのブロックの情報に対して特定の情報カテゴリおよび表示優先度を割り当て、
前記減算手段は、前記表示装置に前記１つのブロックの情報が表示されるたびに前記表示リストにおける前記表示優先度を減少させ、
前記コンピュータ化された装置は、より高い表示優先度を有するブロックの情報がより低い表示優先度を有するブロックの情報より先に表示される形態で前記表示リスト中の前記表示優先度に従って前記１つのブロックの情報を表示するよう前記表示装置を制御し、
前記制御センタ装置（１２）が、前記コンピュータ化された装置（３４、１６）からの情報に基づいて前記表示リストの前記特定の時間期間における或る表示時期において１つのブロックの情報の表示が中断したと判定したとき、前記コンピュータ化された装置は、より高い表示優先度を有するブロックの情報がより低い表示優先度を有するブロックの情報より先に表示される形態で、表示が中断したその１つのブロックの情報を前記表示リスト中のその表示優先度に従って前記表示リストの前記特定の時間期間における代替的な別の表示時期に前記表示装置に表示させることによってその１つのブロックの情報の表示の中断を調整しまたは補償するものである、
システム。
【請求項１１】
前記表示リストが、前記複数のブロックの情報がそれぞれ対応付けられた複数のタイムスロットに分割されていることを特徴とする、請求項１０に記載のシステム。
【請求項１２】
前記コンピュータ化された装置が、前記表示リストの前記表示優先度に従って、前記表示リストおける前記特定の情報カテゴリが割り当てられた１つのブロックの情報を、前記表示リストにおける少なくとも１つの異なる情報カテゴリが割り当てられた別のブロックの情報の次に、前記表示装置に表示させることを特徴とする、請求項１０または１１に記載のシステム。
【請求項１３】
前記割当て手段が、前記表示リストにおける特定の位置コードの位置に前記特定の情報カテゴリを挿入することを特徴とする、請求項１０乃至１２のいずれかに記載のシステム。
【請求項１４】
前記割当て手段が、前記表示リストにおいて、外部情報処理装置（２４）から新しく受け取った各表示用情報の各ブロックの情報に対して、同じ所定のレベルの表示優先度を割り当てることを特徴とする、請求項１０乃至１３のいずれかに記載のシステム。
【請求項１５】
前記減算手段は、前記表示リスト中の前記表示優先度を、前記表示優先度の値を特定のブロックの情報の全てのエントリ数で除算して得られた商の値だけ減少させ、前記表示優先度の値を前記全てのエントリ数で除算した値が無限桁数の１０進数である場合は、前記表示優先度の値を前記全てのエントリ数で除算した値の端数を切り捨てた値を前記商の値として用いることを特徴とする、請求項１０乃至１４のいずれかに記載のシステム。
【請求項１６】
前記コンピュータ化された装置が、前記表示リストにおける最高のレベルの前記表示優先度を有する前記１つのブロックの情報を前記表示装置に表示させ、前記表示リストにおける０（零）レベルの前記表示優先度を有するブロックの情報をもはや表示させないものであることを特徴とする、請求項１０乃至１５のいずれかに記載のシステム。
【請求項１７】
前記コンピュータ化された装置が、前記表示リストにおける同じ表示優先度を有する複数のブロックの情報を連続的に前記表示装置に表示させることを特徴とする、請求項１０乃至１６のいずれかに記載のシステム。
【請求項１８】
前記コンピュータ化された装置が、前記表示リストにおける０（零）より高い表示優先度および同じ情報カテゴリを有する或るブロックの情報と次のブロックの情報の間に、選択された或るブロックの情報を挿入して前記表示装置に表示させることを特徴とする、請求項１０乃至１７のいずれかに記載のシステム。
【発明の詳細な説明】
【０００１】
【発明の属する技術分野】
本発明は、少なくとも１つの表示装置上にその各装置のための少なくとも１つのプロジェクタの媒体（メディア）を通して情報を表示するディジタル情報システムにおいて、プロジェクタを制御し調整するために、情報のスポットまたはブロックに対して情報カテゴリおよび公表の優先度を割り当てる方法および装置に関する。その情報は、一般の公衆がアクセス可能なおよび／または常に集まる場所に表示される。１つの特徴（側面）において、本発明は、例えば、主要な鉄道の駅、地下鉄の駅、空港の待合室（待機ラウンジ）、映画館、個人の家庭、等のような場所において人々に向けて送られる情報を表示するためのプロジェクタを制御するのに適用される。
【０００２】
【背景技術の説明】
本発明者と同じ出願人によるスウェーデン特許公報第ＳＥ−Ｃ２−５０７４７３号および国際公開公報第ＷＯ９７／４１５４６号をここで参照により組み込み、これらの文献からフレキシブル（柔軟な）システムは公知である。そのシステムにおいて、外部情報メディエータ（媒介者、仲介者）は、意図されたディスプレイ上に情報を投射（投影）するプロジェクタを介して任意の選択された離れた任意の距離に位置する相異なる場所により大勢の公衆に対する表示の命令の送信をリアルタイムで動的に（ダイナミックに）制御することができる。
【０００３】
その公知のシステムの目的に１つは、画像（ピクチャ）、映像（イメージ）、メッセージおよびアナウンス（公告、通知、広告）を現代のディジタル技術に従って構成できるようにし、それを用いて高速通信を実現することである。その別の目的は、画像、映像またはその他の情報を、所望の頻度で実際にリアルタイムで変えることができるようにして、それを用いて直接的または即刻の通信を実現し、類似したまたは特定の情報を互いに離れた場所に表示させることができるようにし、メッセージ情報を例えば広告スポットと交替（alternate、交互）させることができるようにすることである。
【０００４】
１つの特徴（側面）によれば、その既知のシステムは、プロジェクタの媒体を通して表示装置上に情報を表示するディジタル情報システムにおいて、プロジェクタを調整し制御する方法に関し、それによって、その情報は一般の公衆が一般的に利用可能なおよび常に集まる場所に表示される。
【０００５】
情報表示の加入者または契約者（subscriber）は、情報の２４時間（all-day-round）伝送のためのコンピュータおよび通信インタフェースを介して、コンピュータ化された制御センタに接続される。その制御センタは、プロジェクタの調整および制御のためにその場所に関連して配置されたコンピュータ化された装置に対する通信インタフェースを有する。
【０００６】
その制御センタは、制御命令フィールドを用いて、ドライブ（駆動）ルーチン手段を有するメディエータ（仲介者）から時間的に動的に表示のための情報を予約または登録（book）することを通してリアルタイムで表示／上映（再生）／公表（エクスポージャ）のリストを生成し更新することができる。そのメディエータは、その加入（契約）に関係し（接続され）、そのシステムにおける情報の伝送のための制御センタのドライブ・ルーチン手段に情報を送信するためにトランスペアレント（透明）である。
【０００７】
表示リストは、何を表示すべきか、それをいつ表示すべきか、それをどこに表示すべきか、およびそれをどのくらいの長さ（時間）表示すべきかに関して関係するプロジェクタを調整し制御する制御命令を含んでおり、その表示リストに従って表示のための同じまたは異なる情報を各プロジェクタに、他のプロジェクタに関係なく（独立に）、受信させる。
【０００８】
ディジタル情報システムのアドミニストレータ（管理者）は、任意の時間に所望の情報を用いてその表示リストを何らかの形で更新することができる。その動的予約（登録）は、変更することができまたは表示することができる。
【０００９】
また、プロジェクタは、割り当てられた表示装置またはプロジェクタがその公の場所で視覚的に遮られたときに、情報の表示を中断してもよい。
【００１０】
一実施形態において、その公表リストは、メディエータ・インタフェースを介して制御命令を用いて更新するための確保（留保）された命令フィールドを含んでいてもよい。その瞬間にフィールドを更新する命令がその公開リストにないとき、その制御命令は待ち行列またはキューに置く（入れる）ことができる。
【００１１】
また、既知のシステムは、前述の方法を実行するための装置の構成に関連する。その装置は、前述の装置と、公表リストを生成するエクスポージャ・ハンドラ（公表処理器）とを含んでいる。
【００１２】
スウェーデン特許公報第ＳＥ−Ｃ２−５０７４７３号および国際公開公報第ＷＯ９７／４１５４６号以前の従来技術は、表示または上映または公表のリストの使用を考慮せず提案もしていなかった。従って、そのような従来技術は、相異なる情報のブロックを表示し、そのブロックは、例えば１時間の長さであり、原則として（主として）１時間毎に繰り返される。新しい情報が表示される場合に、情報のブロックは改訂（修正、変更）されなければならず、それは異なる多数の方法で実現できるが、そのいずれにも従来技術には充分に開示されていない。その従来技術のシステムは、新しい情報ブロックを導入するのに非常に時間を費やし、種々の期間において可能な２４時間の周期的（サイクリック）表示のための表示リストによって導入された承継（引き継ぎ）のダイナミック（適応様式、動力、動的性質）（inherit dynamic）を全く持っていない。また、そのような表示リストでは、情報ブロックを繰り返し（反復的に）再送することは不可能である。
【００１３】
上述の特許および出願にそれぞれ記載された既知のシステムに関する欠点および問題は、その上映リストが、メディエータからの順序付けられた情報スポット／ブロックを表示するのに調整なしで（unevenly）用いられることである。例えば、その公の場所においてその割り当てられた表示装置またはプロジェクタが例えば入って来た列車によって情報が視覚的に遮られたときにプロジェクタが情報の表示を中断した場合に、情報のその部分（断片）のスポット／ブロックは表示／再生／公表リストに従って別の適当な期間に表示されるべきである。そのようなシステムを用いるために公正性さとメディエータの意向（willingness）を制御する他のパラメータとを実現するには、それは容易な作業ではない。
【００１４】
例えば地下鉄駅において、例えば、機能停止したプロジェクタ／カメラ／ディジタル・ディスプレイ、ディスプレイに表示された緊急メッセージ、時刻表ディスプレイ（表示）等のような、全体にわたって調整すべき多くのイベント（事象）が存在する。
【００１５】
従って、上述したことに関連する問題を解決するための有効な方法または方式（スキーム）および装置が必要である。
【００１６】
【開示された発明の概要】
本発明の１つの特徴（側面）は、独立請求項と従属請求項中に記載された本発明の実施形態とに従って、表示または上映または公表リスト等によって制御されるまたは部分的に制御されるディジタル情報システムにおいて、プロジェクタを制御して調整するために、情報のスポットまたはブロックに対して情報カテゴリと公表の優先度とを割り当てることに関連する問題を解決することである。
【００１７】
上述のことを実現するために、本発明は、ディジタル情報システムにおいて、情報のスポットまたはブロックに対して情報カテゴリと公表の優先度とを割り当てる方法を記載している。その方法は、少なくとも１つの表示装置上で少なくとも１つのプロジェクタの媒体を通して情報を公表するためにプロジェクタを調整し制御することを含んでいる。その情報は、一般の公衆がアクセス可能なおよび常に集まる場所にまたはテレビジョン上で表示される。加入（契約）情報メディエータは、情報の２４時間伝送のためにデータおよび通信用のインタフェースを介してコンピュータ化された制御センタに接続される。その制御センタは、プロジェクタ／カメラ／ディジタル・ディスプレイを調整し制御するための上述の場所に関連して配置されたコンピュータ化された装置に対する通信インタフェースを有する。上述の制御センタは、制御命令フィールドを用いて、メディエータから公表のために時間の（間に合うように）情報を動的に予約（登録）することによって、リアルタイムで公表リストを生成し更新することができる。
【００１８】
加入（契約）に関連するドライブ・ルーチン手段を有するメディエータは、そのシステムにおけるインタフェースを介した情報の伝送のために制御センタのドライブ・ルーチン手段を用いた情報の伝送に対してトランスペアレントである。その制御命令を有するその公表リストは、何を公表すべきか、それをいつ公表すべきか、それをどこで公表すべきか、およびどのくらいの長さ（時間）公表すべきかに関して、プロジェクタを調整し制御し、各プロジェクタが制御されるようにすることができる。これは、コンピュータ化された装置を通してそれぞれのプロジェクタの公表のための公表リストに従って同じまたは相異なる情報を受信するよう、他のプロジェクタに関係なく実現することができる。
【００１９】
それは、例えば予約されたときに例えば１日、１週間、等の特定の期間の間に何回情報が公表されるかを決定することによって行われ、それによって情報の複数の単一スポットまたはブロック（タイムスロットのスポットまたはブロック）に特定の情報カテゴリと公表のための優先度とが割り当てられる。その優先度は、各公表に対して優先度の特定の単位だけ（単位で）減分（デクリメント）して、割り当てられた優先度に従って上述の情報を表示し、そのようにして、情報視聴者に対する視覚的アクセス不可能性による公表中断が単一のスポットまたはブロック情報に対するその特定の期間において調整（均等化、even out）される。
【００２０】
本発明の一実施形態は、複数のタイムスロットに分割された公表リストを提供する。各タイムスロットは、特定の情報カテゴリに属することができる。
【００２１】
本発明の一実施形態は、特定の情報カテゴリが割り当てられた情報がそれらの間にある少なくとも１つの異なる情報カテゴリのもの（情報）と共に公表されること、を含んでいる。上述の特定の情報カテゴリには、公表リストにおける位置の特定のコード（位置コード）が付与できる。
【００２２】
さらに別の実施形態は、そのシステムへの新しい情報の各エントリ（入力）に対して優先度が等しいことを含んでいる。
【００２３】
別の実施形態は、除法（分割、商）が無限１０進数である場合、好ましくは丸められた（rounded）または切り捨てられた（truncated）特定の情報スポットまたはブロックの全てのエントリ（数）で除算（分割）された優先度数を用いて（だけ）優先度が減分（デクリメント）すること、を含んでいる。
【００２４】
さらに別の実施形態は、最高の優先度レベルを有する上述の単一の情報スポットまたはブロックが公表され、優先度が残された優先度のないレベル（０レベル）に達した情報ブロックまたはスポットの公表が断念（中止）されることを含んでいる。
【００２５】
別の実施形態は、情報スポットまたはブロックが、同じ優先度を有する場合に、連続して公表されることを含んでいる。
【００２６】
さらに別の実施形態は、０（ゼロ）等より高い優先度および同じ情報カテゴリを有する情報スポットまたはブロックを含んでおり、システム選択情報が同じカテゴリの各情報の間に上映（プレイ、再生）される。
【００２７】
さらに、本発明は、ディジタル情報システムにおいて、ディジタル情報システムに従って情報のスポットまたはブロックに対して情報カテゴリおよび公表の優先度を割り当てる装置
（構成）を含み、
上述のシステムは、さらに、
予約（登録）されたときに、特定の期間において情報が何回公表されるかを決定する決定手段と、
カテゴリ割り当て手段であって、それによって単一の情報スポットまたはブロックに特定の情報カテゴリが割り当てられる手段と、
情報に対する公表の優先度のための優先度割り当て手段と、
割り当てられた優先度に従って上述の情報を表示する、各公表毎に優先度の特定の単位だけ優先度を減分するための計算手段と、
を含み、
それによって、情報視聴者に対する視覚的アクセス不可能性による公表中断が単一の情報スポットまたはブロックに対する上述の特定の期間において調整される。
【００２８】
一実施形態において、特定の情報カテゴリが割り当てられた情報が、それらの間にある少なくとも１つの情報カテゴリのもの（情報）と共にそのシステムを通して公表される。
【００２９】
一実施形態において、上述の特定の情報カテゴリには、上述のカテゴリ割り当て手段によって公表リスト中の特定の位置コードが付与される。
【００３０】
一実施形態において、そのシステムへの新しい情報の各エントリ（入力）に対してその優先度が等しい。
【００３１】
一実施形態において、上述の計算手段を通して、除法（分割、商）が無限１０進数である場合に、好ましくは切り捨てられた特定の情報スポットまたはブロックの全てのエントリ（数）で除算された優先度数で（優先度数／エントリ数だけ）優先度が減分（デクリメント）すること、を含んでいる。
【００３２】
本発明の一実施形態は、複数のタイムスロットに分割された公表リストを提供する。各タイムスロットは、特定の情報カテゴリに属することができる。
【００３３】
最も高い優先度レベルを有する単一の情報スポットまたはブロックが公表され、優先度が残された優先度のないレベルに達した情報ブロックまたはスポットのそのシステムによる公表が断念される。
【００３４】
この装置の一実施形態において、単一の情報スポットまたはブロックは、同じ優先度を有する場合に、情報スポットまたはブロックがそのシステムによって連続的に公表される。
【００３５】
さらに別の実施形態において、上述の情報スポットまたはブロックは、０（ゼロ）等より高い優先度および同じ情報カテゴリを有し、システム選択情報がそのシステムによって同じカテゴリの各情報の間で公表される。
【００３６】
次に、本発明の実施形態をより良く理解するために図面におけるテキストを参照して説明する。
【００３７】
テーブル
テーブルは、本発明の方法によって構成された表示リストを概略的に示している。
【００３８】
【発明の好ましい実施形態の詳細な説明】
少なくとも１つの表示装置上に各表示装置用の少なくとも１つのプロジェクタを介して情報を表示するためのディジタル情報システムにおいて、プロジェクタを動的に調整し制御するための情報のスポットまたはブロックに対して、情報カテゴリおよび公表の優先度を割り当てる方法に関する。その情報は、一般の公衆がアクセス可能なおよび／または常に集まる場所に表示される。また、本発明は、その方法を実行するための装置の構成に関する。
【００３９】
本発明と同じ出願人によるスウェーデン特許公報第ＳＥ−Ｃ２−５０７４７３号と国際公開公報第ＷＯ９７／４１５４６号とから、そのような動的システムが知られている。
【００４０】
本発明は、表示／上映（再生、プレイ）／公表（エクスポージャ、表示）リスト中の公表されない情報スポットまたはブロックに関連する欠点を克服するために、動的システムに従ってその表示／上映／公表リストをどのように利用するかを記載しクレーム（請求）する。
【００４１】
スウェーデン特許公報第ＳＥ−Ｃ２−５０７４７３号および国際公開公報第ＷＯ９７／４１５４６号以前の従来技術は、表示または上映または公表リストの使用を考慮せず提案もしていなかった。従って、そのような従来技術は、異なる情報の各ブロックを表示し、そのブロックは、例えば１時間の長さであり、原則として（主として）１時間毎に繰り返される。新しい情報が表示される場合、情報のブロックは改訂されなければならず、異なる多数の方法で実現でき、その中のいずれも従来技術には充分に開示されていない。その従来技術のシステムは、新しい情報ブロックを導入するのに非常に時間を費やし、種々の期間において可能な２４時間の周期的表示のための表示リストによって導入された承継（引き継ぎ）のダイナミック（適応様式、動的性質）（inherit dynamic）を全く持っていない。また、その表示リストでは、情報のブロックを繰り返し再送することは不可能である。
【００４２】
プロジェクタ／カメラそのものは、ディジタル表示装置であってもよく、または例えばＬＣＤディスプレイまたはプラズマ・ディスプレイ装置、ディジタルテレビジョン装置等のようなディジタル表示装置に組み込まれていてもよい。
【００４３】
実施形態の構成は以下において地下鉄駅に限定されているが、本発明はこれらの実施形態に限定されないことは理解されるであろう。前述したように、本発明のシステムは、公衆の大きな部分が訪れまたは広告を見ることが分かっている場所、例えば、地下鉄の駅に加えて、鉄道の駅、空港、屋外の位置、映画館、テレビジョンを見る個人の家庭、等のような場所において用いることができる。
【００４４】
次いで、図面を参照して本発明の好ましい実施形態を説明する。図１は、特許公報第ＳＥ−Ｃ２−５０７４７３号および国際公開公報第ＷＯ９７／４１５４６号に開示された従来技術のシステム１０を概略的に示している。そのシステム１０は、テキスト、静止画、動画、映像等の形式の画像情報を再生しまたは公表するのに適した表示装置、例えば自立型（独立型）画像スクリーン、壁取付スクリーン、壁およびオーバヘッド・スクリーンまたはその他の手段のような表示装置に情報を表示するためのディジタル情報システムにおいてプロジェクタを調整し制御するためのものである（ディスプレイは図示せず）。
【００４５】
主として、そのシステムは、プロジェクタの映像または画像（画面）が前述の公の場所に表示されるプロジェクタ２２またはＬＣＤディスプレイ、テレビジョン装置４０等のような前述した他のプロジェクタの制御のために互いに所望の距離だけ離して配置された無制限の数のコンピュータ化された装置１６、１８、２０に接続する通信インタフェース１４を有する制御センタ１２からなる。
【００４６】
従って、コンピュータ化された装置１６、１８、２０に含まれている装置の他の実施形態において、プロジェクタ２２は、例えばＬＣＤ技術または発光ダイオード技術（ＬＥＤ技術）等における大型画面（ピクチャ）スクリーンのような電子的ディスプレイ（図示せず）で置き換えられる。その際、ステーション・コンピュータ３４は、その大型画面スクリーンに含まれ、または外部に接続される。ステーション・コンピュータ３４にプロジェクタ３８、およびデータベース３６も含まれることが好ましい。概して前述したのと同様に形態で、情報が制御センタ１２から送信される。しかし、各別の大形画面スクリーンが無線ネットワーク（網）１４を通して直接アドレスされ、そのスクリーンは冗長性（冗長構成）を含んだ制御センタ１２から制御される。従って、例示された事例において、コンピュータ化された装置１６、１８、２０は制御コンピュータ３４を有する電子的ディスプレイを形成し、上述のプロジェクタ２２は表示を行わせる。
【００４７】
また、その例示されたシステムは、コンピュータ２４およびモデム２６等の媒体を通して制御センタ１２に接続された広告代理業者をも含んでいる。１つのモデムだけが制御センタの中央コンピュータ２８に接続されるように示されているが、この目的のために、今日の技術に従って、モデム・ポール（極性）、電話交換局およびその他の類似の装置を用いてもよいことは、理解されよう。また、広告代理業者は、従来技術による公表リストに挿入される情報のディジタル再生（reproduction、repro）のための会社であってもよい。代替構成として、制御センタ１２のワークステーション３２は、内部のもので、および／または外部のもので、従って外部ワークステーション３２が上述の再生会社を構成しまたは上述の再生会社に属してもよい。従って、情報メディエータ２４は、その情報が外部再生会社によって挿入されるように順序付ける（命令する、注文する）ことができる。
【００４８】
また、制御センタ１２における中央コンピュータ２８も、データベース３０、例示されている事例では２つのデータベースを含んでいる。データベース３０は外部からその中央コンピュータに接続されていてもよい。また、その制御センタはワークステーション３２を含んでおり、そのワークステーション３２は、既知の技術に従って、ローカル・エリア・ネットワーク（ＬＡＮ）を介して中央コンピュータ２８に接続されていることが好ましい。ワークステーション３２は、データベースを有する中央コンピュータにおける諸機能をモニタし、チェックし（検査し）、メンテナンスし、更新するときに（場合において）、制御センタ１２のために働く職員によって用いられる。例えば、船、列車、地下鉄、航空機またはその他の或る輸送トラフィック（vehicular traffic）によって旅行している特定の情報を必要とする旅行者および乗客に、情報が特に向けられるときなどに、制御センタ・アドミニストレータ（管理者）は、ワークステーションを介してプロジェクタ制御命令を挿入することができる。その情報は、乗客を運ぶ輸送手段または乗物（vehicle）の到着および出発時間に関するものであってもよい。そのアドミニストレータは、プロジェクタ２２によって、情報を、どのように、何を、いつまたはどこに表示するかを内部的に制御する。しかし、この文脈において重要な特徴は、外部メディエータ２４がモデム２６を介して自発的に通信的にトランスペアレントに（透明に）プロジェクタ２２を介してシステム１０に表示させたい情報に関して、制御命令を外部情報メディエータ２４がプロジェクタ２２に与えることができることである。これは、中央コンピュータ２８に制御命令を送信する手順においてワークステーション３２に関係なく従来技術の発明の一実施形態に従って実現できる。
【００４９】
以下で用いられる情報メディエータ２４という用語は、その最も広い意味で解釈しなければならない。即ち、それは、広告代理業者だけでなく、商業的理由のためまたは一般の公衆に関する情報の表示のために、システム１０を用いたいと思う全ての会社および個人を意味するものとして、解釈しなければならない。現在、公の場所で情報を表示したいと思うメディエータは、通常、自己の注文（オーダ）が実行され情報が公的に表示される前に、約２週間、たぶんそれより長く待たされる。本発明のディジタル情報システム１０を用いると、情報が主にリアルタイムで表示でき、即ち、注文を行うとき、完全に（満杯で）予約された公表リストの処理およびその他の短時間で過ぎ行く（一時的、passing）原因によるたぶん短い遅延を伴って、表示できる。さらに、外部情報メディエータ２４は、１日２４時間、システム１０に情報を処理させることができ（通すことができ）、そのとき、その情報が瞬間的に、後でより詳しく説明するように公表リスト中に含ませることができる。
【００５０】
本発明の一実施形態において、モデムを介して制御センタ１２に接続するその外部情報メディエータは、データおよび通信用の特別に設計されたインタフェース（ドライブ・ルーチン手段）を介してその制御センタに接続される。このようにして、正しいインタフェースを有する外部メディエータ２４だけが、プロジェクタ２２に制御命令を供給する制御センタ１２にトランスペアレントに（透明に）接続できる。制御センタ１２は、そのような情報の表示に対する許可なしのアクセスとシステムの誤用（misuse）とを回避する。また、この点について、外部メディエータのコンピュータに含まれ得る特別なインタフェースは、中央コンピュータ２８に制御命令を入力する権利を検証（ベリファイ）するために、制御センタ１２と外部メディエータのコンピュータ２４の間で伝送される商業的に入手可能な（市販の）コード・キーまたはその他のコードを含んでおり、そのアドミニストレータは、プロジェクタ２２にシステム・トランスペアレントな制御命令を送信するための、その中央コンピュータへの外部メディエータ２４のアクセスを許可する別の情報または権限を、ワークステーション３２を通して供給する必要がない。
【００５１】
従来技術によれば、制御センタ１２は、プロジェクタ調整および制御用のシフト位置または場所に配置されたコンピュータ化された装置１６、１８、２０に対する通信インタフェース１４を有する。
【００５２】
図は、制御センタ１２とコンピュータ化された装置１６、１８、２０の間のインタフェースを形成する無線リンクを特に示している。そのインタフェースは、唯一の可能なインタフェースとは限らないが、好ましいインタフェースである。制御センタ１２とコンピュータ化された装置１６、１８、２０の間で情報を伝送するためのその他のインタフェースは、ケーブル搬送型ＩＳＤＮ（Integrated Services Digital Network）による解決法または同様のまたはより良好な容量を有するその他の固定回線で構成してもよい。
【００５３】
以上において、ディジタル情報システム１０をそれぞれのハードウェアおよびインタフェースについて説明した。従来技術の発明におけるその目的を達成するための構成は、前述の公報第ＳＥ−Ｃ２−５０７４７３号および第ＷＯ９７／４１５４６号に詳しく説明されている。
【００５４】
次に、プロジェクタ２２を介して情報の公表または表示を行うために２４時間の期間をカバーする従来技術の公表リストを参照して本発明を説明する。エクスポージャ（公表）ハンドラ（処理器、取扱器）３は、プロジェクタ制御命令に関する情報を収集して処理し、即ち割り当てる。メディエータによって与えられる公表リストまたはその公表リストにおける代替的位置（場所）において利用可能なスペース（空き）が見出されたとき、メディエータ２４の意志またはその命令に従ってメディエータ情報がその公表リスト中にソート（sort）される。好ましい実施形態によれば、その公表リストが完全に命令で満たされた場合に、制御センタに対するそのメディエータ命令は、後でその公表リストに入れるための準備完了状態にあるサーバ１におけるキュー（待ち行列）リストに残る（留まる）。
【００５５】
従来技術の実施形態において、エクスポージャ・ハンドラ３はデータ・メッセージ（データ・フィールド）を生成しまたは割り当てる。そのデータ・メッセージは、ヘッダ、制御キャラクタ（文字）フィールド、アドレス・フィールド、オプションとして少なくとも１つのＣＲＣフィールド（巡回冗長コード）、およびオプションとしてステータス・フラグ（状態フラグ）を含み、それらは情報メディエータ２４からの情報を識別しその情報に連結され、プロジェクタ２２を通して情報が公表されまたは表示される公表リスト中の期間にファイル（登録）される。これは外部メディエータ２４からの情報ビット全体を公表リストにおける特定の期間に挿入する構成の代替構成であり、それによって、遙かに少ない情報を含み従って扱いがより容易な公表リストを実現することができ、そのシステムに含まれるコンピュータとデータベースの間でのそのリストの送信が促進される。
【００５６】
公表リストにおけるデータ・メッセージは、ここでは、情報を投射するようプロジェクタ２２を起動（付勢）するための命令フィールドにおける制御命令として、理解することができる。
【００５７】
個々の情報公表に関係するこの種のデータ・メッセージによって、既知のハッシュ（ＨＡＳＨ）またはスイッチング方法は、情報が公表リストにおける公表期間（時間期間）に効果的に高速で入れられるのを確認できる。
【００５８】
従って、従来技術の一実施形態には、前述のような公表リストの動的更新の構成の代替構成が含まれ、即ち、エクスポージャ・ハンドラにおけるソフトウェアにアクセスしない外部情報メディエータ２４に対して、ワークステーション３２のために働く職員によってその画像素材（マテリアル）または公表素材を処理させる可能性が与えられる。上述の職員は、ワークステーション３２を介して、外部メディエータ２４がエクスポージャ・ハンドラにおいてプロジェクタ制御命令を介しておよびそのハンドラによって生成された公表リストを介して公表または表示させたいと思う情報を、入力する。従って、ワークステーション３２における職員は、サーバ１における任意のキュー・リストに割り込んで、制御センタ１２から中央に向けて発生された情報を用いて、または外部情報メディエータ２４からサーバ１によって受信されたときの充分に処理されていない情報を用いて、そのエクスポージャ・ハンドラを介して公表リストを更新することができる。
【００５９】
前述の説明によれば、その公表プログラムにアクセスする外部情報メディエータ２４は完全な画像のシリーズ（一連のもの）／フィルムを供給できる。そのシリーズ／フィルムは自動的に処理されてその公表リストに挿入でき、またはオプションとして、ワークステーション３２を管理する（administrate）職員は、キューまたはラインから外部メディエータ情報を取り出して、エクスポージャ・ハンドラ３を介して公表リストに挿入できるようにその情報を処理することができる。ワークステーションを介して処理しなければならない情報を区別できるようにするために、外部メディエータ２４は、適正なコードを用いてそのような送信された素材をマークしまたはラベル付けすることができ、中央コンピュータ２８は、その素材を識別してそれを処理のためにワークステーション３２に送信できる。代替構成として、電子メールが処理されて処理すべき情報として登録される。
【００６０】
上述のように、スウェーデン特許公報第ＳＥ−Ｃ２−５０７４７３号および国際公開公報第ＷＯ９７／４１５４６号以前の従来技術は、表示または上映または公表リストの使用を考慮せず提案もしていなかった。従って、そのような従来技術は、例えば原則として（主として）１時間毎に繰り返される１時間の長さの異なる情報のブロックを表示することを教示する。新しい情報を表示する場合、情報のブロックを改訂しなければならず、それは従来技術に充分にまたは具体的に開示されていない多数の様々な方法で実現できる。その従来技術のシステムは、新しい情報のブロックを導入するのに非常に時間を費やし、種々の期間における可能な２４時間表示のための表示リストによって導入された承継のダイナミック（inherit dynamic）を全く持っていない。また、２４時間表示リストでは、上述の例えば情報の１時間ブロックを繰り返し送信するのが不可能である。
【００６１】
また、従来技術によれば、例えばプロジェクタ２２がスクリーン（図示せず）上に情報を表示することを阻止するかもしれない任意の障害を検出するために、プロジェクタ２２の近傍にセンサを配置してもよい。そのセンサは、プロジェクタ・コンピュータ３８に接続されて、上述の信号がステーション・コンピュータ３４に送信されることができるようにする。代替構成として、そのセンサは、ステーション・コンピュータ３４に直接接続してもよい。そのセンサは障害の存在を検出する典型的な種類のもので、例えば、ライト・ビームが途切れた（破られた）ときそれを検出する光センサであり、マイクロフォン、電磁波送信機、または１つ以上の受信機等を有する超音波送信機、等である。
【００６２】
センサ（図示せず）がプロジェクタ２２とクロス（布）スクリーンまたはその他の或る表示面の間における障害の存在を登録（記憶、検出）したとき、その障害が存在する時間の期間において画像を投射（射影）しないようプロジェクタが停止される。
【００６３】
また、そのセンサは、プロジェクタ２２がカメラでないときにレンズまたは表示スクリーンにダスト（塵埃）または汚れ等が接触できないようにプロジェクタ・レンズの前にカバー（被覆）を配置するよう機能してもよい。
【００６４】
情報メディエータ２４が広告代理業者であり、広告が画像の形態で表示されるとき、広告加入者（契約者）は、公表リストに示されている複数のスポットを購入することができる。そのスポットは、例えば１０秒期間として示され、例えば、各６番目のスポットは地下鉄を運営している輸送会社によって用いられるスポットである。そのスポットは、一部を広告目的に、一部を情報目的に用いることができる。広告加入者は、個々にまたは特別のパッケージで各スポットを購入してもよく、そのディジタル情報システムは、短い通知（notice）で変更を挿入でき、または完全に新しいスポットを処理できる。従って、そのシステムは、高い柔軟性を有し、エクスポージャ（公表）手段に何を公表すべきか、それをどこにいつ公表すべきかに関して直ぐに変更を加えることができる。
【００６５】
コンピュータ生成画像または公表は、外部の広告代理業者／通信社（news agency）等によって供給され、例えば地下鉄において公表または表示が行われる。その画像は、情報素材蓄積メディアを含んでいる制御センタ１２によって受信される。また、制御センタは、何をどのような順序で公表すべきかを判断し、その情報素材を地下鉄駅１６、１８、２０に分配する。また、制御センタ１２は、場合によってはワークステーション３２の媒体を通して制御ルーチンを介して、“良好な秩序（good order）”または受け入れられているモラル（morale）に反する情報および公衆の大部分を妨害する性質の情報を表示することを自制（阻止）できる。また、そのような情報の表示は、アカウントまたは加入契約を得るときに外部情報メディエータ２４によって署名された契約の媒体を通して阻止できる。
【００６６】
例えば入って来る地下鉄列車等によって遮られるそのスクリーンは、列車が駅に位置している期間は“消す（extinguish）”べきである。この点に関して、同期は、ステーション・コンピュータ３４によって制御される。それによって、スクリーンは、妨害されることがなく、プロジェクタ２２から公表情報を受け取り続けることが可能になる。
【００６７】
プロジェクタ・コンピュータ３８は、ステーション・コンピュータ３４に、このステーション・コンピュータにおいて機能制御手段の媒体を通して、プロジェクタ・アドレス、画像番号／名称、公表持続時間（長さ）、および公表の時間（時刻）を知らせる。誤動作／メイン（mains）の故障または電力遮断（停電）が起きたとき、ステーション・コンピュータ３４は、その発生を制御センタ１２に報告する。一方、中央コンピュータ２８は、ステーション・コンピュータ３４を規則的間隔で（定期的に）モニタする。
【００６８】
公表または表示すべき情報素材はコンピュータ・センタ１２からステーション・コンピュータ３４にダウンロードされる。各プロジェクタ２２が自己のコンピュータ３４を持っているので、駅１６、１８、２０における公表を妨害することなく、カレンダ日（日付）における任意の時間にステーション・コンピュータ３４に情報素材を送信できる。必要なときには、全てのプロジェクタ２２に関して、または具体的に選択された情報を表示するための或るプロジェクタに関して、公表リストを変更しまたは停止することができる。
【００６９】
コンピュータ３４は、各外部情報メディエータ２４に関する情報が公表されまたは表示される時間長さを、例えばテーブルまたはその他のレジスタに登録するよう機能するカウンタを含んでいる。従って、アドミニストレータによってそれが考慮されたとき、メディエータ２４は、情報が表示された実際の時間分だけ支払えばよく、例えば現在の事例のように７日間の期間にわたる２４時間表示に対する一括現金払いは要求されない。
【００７０】
また、公表手段がプロジェクタ２２から隠されたときまたはその逆のときに公表の表示を中断するドライブ・ルーチン手段は、時刻表（タイム・テーブル）に従って列車が走行（運行）しているか否かについて本発明における地下鉄アドミニストレータの統計的分析を行うときのフィードバックおよびモニタとして用いられる。これは、とりわけ、公表リストを作成しこのリストを将来更新するために有益である。これは、画像または公表の表示が中断されたときにステーション・コンピュータ３４に登録（記憶）することによって行われる。また、登録は、例えば、コンピュータ３４に対する割り込みルーチンを介して行われる。また、その登録は、輸送手段がスクリーンまたはプロジェクタ２２を遮る時間を登録（記憶）するようクロック（時計）（カウンタ、タイマ）をトリガしてもよい。
【００７１】
添付されたテーブルは、本発明の好ましい実施形態の幾つかをより詳しく説明し明らかにするために、概略的な表示／上映／公表（エクスポージャ）リストを示している。
【００７２】
テーブルにおける各列は、時間（Time）、サブジェクト（Subject、主題）、カテゴリ（Category）、優先度（Priority）およびエクスポーズ（Expose、公表）からなる見出し（ヘッディング）を用いてマークされる。これらの見出しは他に説明を要しない。但し、エクスポーズは、ディスプレイに或るサブジェクトを何回公表すべきかを表すためのものである。概略的表示リストは、漫画（cartoon）、コマーシャルおよび情報（ここではアドミニストレータ（管理者）情報）の３つのサブジェクトを含んでいる。
【００７３】
２つのコマーシャル・スポットは同じカテゴリのもので、即ち自動車１および自動車２であり、好ましくは連続的に（一方の直後に）表示されるべきでない。広告またはスポット、自動車１および自動車２はそれぞれ２，００回および３，００回公表されなければならない。１０進数が用いられる理由は、新しい優先度を計算するときに丸め（rounding）および切り捨て（truncation）が可能だからである。
【００７４】
テーブルから分かるように、表示リストへの新しいエントリ（入力）に対して用いられる優先度の単位は１，００である。単純化のために、１８．００時間の周りのエントリの全てが、優先度１，００が与えられる新しいものであるとする。１９．００時間において、それらは再度表示される。テーブルから分かるように、そのリストにおけるエントリは１，００−（優先度／エクスポーズ）から計算される新しい優先度数を有する。優先度数および優先度計算はもちろん種々の方法で計算でき、これは可能な１つの形態である。
【００７５】
そのテーブルにおいて、自動車１スポットは、例えばアドミニストレータ情報、ここでは時刻情報、の表示のために、その表示時間１９．０５を断念させられた。従って、自動車１スポット優先度は減分（減少）されない。その代わり、自動車１スポットは、２０．００時間表示における自動車２スポット表示に置き換わる。その理由は、その優先度０，５が自動車２の優先度０，３３より高いからである。
【００７６】
一実施形態において、例えば２つの異なる自動車製造業者、自動車１および自動車２の間の競合を減じるためにおよびその他の可能な理由のために、同じカテゴリの情報は連続して表示されないようにすることが好ましい。
【００７７】
その上映リストの実施形態において、情報スポットを表示するための各期間は、それにカテゴリを割り当てることができ、例えば、練り歯磨きコマーシャルおよびその他のカテゴリは表示リストによって制御される特定のタイムスロットで表示される。それによって、例えば連続的に３つの練り歯磨きコマーシャルが表示されることが阻止される。
【００７８】
そのテーブルに示された表示リスト５０から明らかなように、時間の列の各行における複数の単一ドット（点）またはアスタリスク（スター）は周期的表示リストを示している。しかし、テーブル１における１８．００〜２０．００時間表示をブロックとして考えた場合に、情報の１つのブロックが表示されるたびに表示が周期的に反復されることを意味しているわけではない。また、これは、公報第ＳＥ−Ｃ２−５０７４７３号および第ＷＯ９７／４１５４６号によって導入された従来技術のサイクリック・ブロック表示と周期的表示リストの間に大きな相違点が存在することを説明する。
【００７９】
従って、好ましくは予約されたときに特定の期間において表示リストの制御を通して情報を何回公表すべきかが決定される。それによって、情報の複数の単一スポットまたはブロックに特定の情報カテゴリおよび公表の優先度が割り当てられる。その優先度は、各公表の度に優先度の特定の単位だけ減分し、従って情報視聴者に対する視覚的アクセス不可能性による公表中断は、単一のスポットまたはブロックの情報に対する上述の特定の期間において調整（均等化）される。
【００８０】
本発明の一実施形態において、特定の情報カテゴリに公表リストにおける配置の特定のコード（符号）が付与される。
【００８１】
最高の優先度レベルを有する複数の単一情報スポットまたはブロックが公表されるようにし、優先度が残りの優先度がないレベル（優先度０）に到達した情報スポットまたはブロックが公表を断念（中止）されるように、構成（配置）することが一般的である。
【００８２】
また、０（ゼロ）等より高い優先度および同じ情報カテゴリを有する情報スポットまたはブロックは競合しないようにすることが好ましい。その代わり、システム選択情報は、同じカテゴリの各情報の間で上映される。それは、そのシステムによって判断される漫画またはその他の任意の情報であってもよい。
【００８３】
さらに、本発明は、また、ディジタル情報システムにおいて、表示リストを有する上述のシステムに従って、情報のスポットまたはブロックに対する情報カテゴリおよび公表の優先度を割り当てるための構成（装置）を含み、さらに、
特定の期間において情報が何回公表されるかを決定する決定手段と、
カテゴリ割り当て手段であって、それによって情報の単一のスポットまたはブロックに特定の情報カテゴリが割り当てられる手段と、
情報の公表の優先度のための優先度割り当て手段と、
各公表に対して優先度の特定の単位だけ優先度を減分するための計算手段と、を含む。
それによって、情報視聴者の視覚的アクセス不可能性による公表中断が、情報の単一のスポットまたはブロックの上述の特定の期間において調整される。
【００８４】
一実施形態において、特定の情報カテゴリが割り当てられた情報が、それらの間にある少なくとも１つの異なる情報カテゴリのもの（情報）と共にそのシステムを通して公表される。
【００８５】
一実施形態において、上述の特定の情報カテゴリに、上述のカテゴリ割り当て手段によって公表リストにおける位置の特定のコードが付与される。
【００８６】
上述の構成においてどのようにそれらの手段が用いられるかは、この分野の専門家にとって周知である。そのような手段は、公報第ＳＥ−Ｃ２−５０７４７３号および第ＷＯ９７／４１５４６号に記載されているシステムにおいてソフトウェア、ハードウェアおよび／またはファームウェアとして実現される。
【００８７】
本発明の前述の実施形態は本発明の範囲を限定するためのものではなく、本発明を実施するための好ましいモードを示すことを単に意図している。本発明は、請求の範囲からこの分野の専門家に明らかなその他の実施形態を含む。
【００８８】
【表１】
0004600903.tif 000002
【図面の簡単な説明】
【図１】  図１は、本発明による、情報を表示するためのディジタル情報システムにおいて、プロジェクタを調整し制御する従来技術のシステムを概略的に示している。
【図１】
0004600903.tif 000003